【事件の表示】
　特許第２６８８０６８号「暗号化指紋照合装置」の請求項１ないし２に係る特許に対する特許異議の申立てについて、次のとおり決定する。
【結論】
　訂正を認める。
　特許第２６８８０６８号の請求項１ないし２に係る特許を維持する。
【理由】
Ｉ．手続きの経緯
　本件特許第２６８８０６８号の請求項１、２に係る発明は、昭和６３年７月１５日に特許出願され、平成９年８月２２日にその特許権の設定登録がなされ、この後、竹田茂代により特許異議の申立てがなされ、取消理由通知がなされ、その指定期間内である平成１０年１１月６日に訂正請求がなされた。これに対して、訂正拒絶理由を通知し、その後、手交により平成１１年６月９日付けで訂正拒絶理由を通知したところ、平成１１年６月９日付けで補正がなされたものである。
ＩＩ．訂正の適否についての判断
１．補正の適否
　平成１１年６月９日付けの補正は、訂正明細書の発明の詳細な説明におけるステップ０２４〜０２８についての記載の中の不明瞭な記載を削除するものであるから、明瞭でない記載の釈明に該当し、特許法第１２０条の４第３項において準用する同法第１３１条第２項の規定に適合するので、当該補正を採用する。
２．訂正の内容
▲１▼訂正事項ａ
　特許明細書の特許請求の範囲の請求項１に記載されている「該暗号キィ入力部から入力された暗号キィを該容認者の指紋データに関連させて記憶する暗号キィ記憶手段」を、「該暗号キィ入力部から入力された暗号キィを記憶する暗号キィ記憶手段」と訂正する。
▲２▼訂正事項ｂ
　特許明細書の第１３頁１０〜１５行目に記載されている「ステップ０２４〜０２８（Ｓ０２４〜Ｓ０２８）第４図のステップ　００５〜００８と同様、指紋選択コード入力〜指紋データ暗号化が行なわれる。この場合、照合モードであるので、暗号化指紋データは照合用指紋データ記憶手段６３２に格納されない。」を、「ステップ０２４〜０２８（Ｓ０２４〜Ｓ０２８）第４図のステップ００５〜００８と同様、指紋選択コード入力〜指紋データ暗号化が行なわれる。この場合、照合モードであるので、暗号化指紋データは照合用指紋データ記憶手段６３２に格納されない。暗号化は、暗号化手段６１４において、指紋データ抽出手段６１３において抽出された指紋の特徴パターンデータに対して、暗号化キィ記憶手段６３１に記憶された暗号キィにもとづいて、暗号化を行う。このとき使用される暗号キィとしては、例えば、容認者ごとに異なる暗号キィを使用することができる。」と訂正する。
３．訂正の目的の適否、新規事項の有無及び拡張
・変更の存否
　特許明細書の実施例及び図面には、容認者の指紋データに関連させて暗号キィ記憶手段に記憶することが記載も示唆もされていないこと、及び、暗号キィ入力部から入力された暗号キィについては、直接、暗号キィ記憶手段に入力される例しか記載されていないことから、訂正前の特許明細書の特許請求の範囲の請求項１の「該暗号キィ入力部から入力された暗号キィを該容認者の指紋データに関連させて記憶する暗号キィ記憶手段」という記載が誤記であることは明らかである。
　したがって、訂正事項ａは、特許明細書の特許請求の範囲の請求項１の誤記の「該暗号キィ入力部から入力された暗号キィを該容認者の指紋データに関連させて記憶する暗号キィ記憶手段」という記載を、「該暗号キィ入力部から入力された暗号キィを記憶する暗号キィ記憶手段」という正しい記載に訂正するものであるから、誤記の訂正に該当する。
　訂正事項ｂは、照合モードにおいて、どのように指紋データ暗号化を行なうのか不明瞭な記載を明瞭な記載に訂正するものであるから、不明瞭な記載の釈明に該当する。
　また、上記訂正事項ａ、ｂは、願書に最初に添付した明細書又は図面に記載された範囲内においてなされたものであり、実質的に特許請求の範囲を拡張又は変更するものでもない。
４．独立特許要件
（１）訂正明細書の請求項１、２に係る発明
▲１▼訂正明細書の請求項１に係る発明は、その特許請求の範囲の請求項１に記載された次のとおりのものと認める。
　「予め定められた指紋照合を行う容認者の条件を入力する容認者条件入力部と、実際の指から指紋データを抽出する指紋入力部と、容認者の暗号キィを入力する暗号キィ入力部と、該暗号キィ入力部から入力された暗号キィを記憶する暗号キィ記憶手段と、前記指紋入力部を介して得られた指紋データを前記暗号キィ記憶手段に記憶された暗号キィに基づいて暗号化する指紋暗号化手段と、前記指紋暗号化手段にて暗号化された指紋データを予め格納しておく照合用指紋データ記憶手段と、前記指紋入力部から入力され前記指紋暗号化手段にて暗号化された暗号化指紋データと前記照合用指紋データ記憶手段に記憶された照合用指紋データとを比較照合する照合手段と、を具備することを特徴とする暗号化指紋照合装置。」
▲２▼訂正明細書の請求項２に係る発明は、その特許請求の範囲の請求項２に記載された次のとおりのものと認める。
　「指紋照合動作または指紋暗号化登録操作のいずれかを設定するモード切替部をさらに具備することを特徴とする、請求項１記載の暗号化指紋照合装置。」
（２）引用刊行物記載発明
　訂正明細書の請求項１、２に係る発明の特許に対して、当審が通知した平成１１年３月２日付けの訂正拒絶理由で引用した刊行物１（特開昭６２−５５７７６号公報）には、「予め定められた指紋照合を行う容認者の条件を入力する容認者条件入力部と、実際の指から指紋データを抽出する指紋入力部と、容認者の暗号キィを入力する暗号キィ入力部と、前記指紋入力部を介して得られた指紋データを暗号キィに基づいて暗号化する指紋暗号化手段と、前記指紋暗号化手段にて暗号化された指紋データを予め格納しておく照合用指紋データ記憶手段と、前記指紋入力部から入力された指紋データと前記照合用指紋データ記憶手段に記憶された指紋データを解読処理した指紋データとを比較照合する照合手段と、を具備する暗号化指紋照合装置。」が記載されており、
　同じく引用した刊行物２（特開昭６１−６７１９２号公報）には、「暗号化したデータの間で比較照合を行なう」ことが、刊行物３　（実願昭６１−８１９６８号に係るマイクロフィルム〔実開昭６２−１９５８７４号公報参照〕）には、「指紋照合装置において、指紋照合動作または指紋登録操作のいずれかを設定するモード切替部を設ける」ことがそれぞれ記載されている。
（３）訂正明細書の請求項１、２に係る発明と引用刊行物１〜３記載発明との対比・判断
　▲１▼訂正明細書の請求項１に係る発明と上記刊行物１〜３に記載された発明とを対比すると、上記刊行物１〜３のいずれにも、訂正明細書の請求項１に係る発明の構成要件である、「指紋暗号化手段にて暗号化された指紋データを予め格納しておく照合用指紋データ記憶手段と、前記指紋入力部から入力され前記指紋暗号化手段にて暗号化された暗号化指紋データと前記照合用指紋データ記憶手段に記憶された照合用指紋データとを比較照合する照合手段と、を具備する」点は記載されていない。
　そして、訂正明細書の請求項１に係る発明は、「指紋暗号化手段にて暗号化された指紋データを予め格納しておく照合用指紋データ記憶手段」と、「前記指紋入力部から入力され前記指紋暗号化手段にて暗号化された暗号化指紋データと前記照合用指紋データ記憶手段に記憶された照合用指紋データとを比較照合する照合手段」と、の両者を具備する構成によって、「…第三者が指紋データを理解し、又は第三者が指紋データを復号することは…ない。」（訂正明細書第７頁第３〜８行参照。「第三者」が暗号化指紋照合装置に残されたデータを見ることができる者を意味することは明らかである。）という上記刊行物１〜３に記載された発明からは予想し得ない格別の効果を奏するものと認められる。
　したがって、訂正明細書の請求項１に係る発明が、上記刊行物１〜３に記載された発明から当業者が容易に発明をすることができたものとすることはできない。
　▲２▼訂正明細書の請求項２に係る発明と上記刊行物１〜３に記載された発明とを対比すると、訂正明細書の請求項２に係る発明は、上記訂正明細書の請求項１に係る発明を更に限定したものであるので、訂正明細書の請求項２に係る発明が上記刊行物１〜３に記載された発明から当業者が容易に発明をすることができたものとは認められない。
　したがって、上記刊行物１〜３に記載された発明をもって、訂正明細書の請求項１、２に係る発明が特許出願の際独立して特許を受けることができない発明とすることはできない。
（４）むすび
　以上のとおりであるから、上記訂正は、特許法第１２０条の４第２項及び同条第３項において準用する同法第１２６条第２〜４項の規定に適合するので、当該訂正を認める。
ＩＩＩ．特許異議申立について
１．申立理由の概要
　申立人竹田茂代は、本件特許の請求項１、２に係る発明は、甲第２号証（特開昭６２−５５７７６号公報，刊行物１）、甲第３号証（特開昭６１−６７１９２号公報，刊行物２）および甲第４号証（実願昭６１−８１９６８号に係るマイクロフィルム〔実開昭６２−１９５８７４号公報参照〕，刊行物３）に記載された事項に基づいて当業者が容易に発明できたものであるから、特許法第２９条第２項の規定に該当し、特許を受けることができないものであり、同法第１１３条第１項第２号の規定により取り消されるべきである旨を主張している。
２．当審の判断
　訂正明細書の請求項１、２に係る発明は、上記ＩＩ．４の項で述べた理由と同様の理由により、取消理由通知で示した刊行物１〜３に記載された発明から当業者が容易に発明をすることができたものとすることはできない。
３．むすび
　以上のとおりであるので、特許異議申立人の主張は採用できない。
　また、他に、訂正明細書の請求項１、２に係る発明についての特許を取り消すべき理由を発見しない。
　よって、結論のとおり決定する。
【異議決定日】
平成１１年７月１４日（１９９９．７．１４）
【訂正の要旨】
　　　　　　　　　　　　　　　　　訂正の要旨
　▲１▼　訂正事項ａ
（ａ）特許請求の範囲の請求項１及び２に係る記載
　「１．予め定められた指紋照合を行う容認者の条件を入力する容認者条件入力部と、
　実際の指から指紋データを抽出する指紋入力部と、
　容認者の暗号キィを入力する暗号キィ入力部と、
　該暗号キィ入力部から入力された暗号キィを該容認者の指紋データに関連させて記憶する暗号キィ記憶手段と、
　前記指紋入力部を介して得られた指紋データを前記暗号キィ記憶手段に記憶された暗号キィに基づいて暗号化する指紋暗号化手段と、
　前記指紋暗号化手段にて暗号化された指紋データを予め格納しておく照合用指紋データ記憶手段と、
　前記指紋入力部から入力され前記指紋暗号化手段にて暗号化された暗号化指紋データと前記照合用指紋データ記憶手段に記憶された照合用指紋データとを比較照合する照合手段と、
　を具備することを特徴とする暗号化指紋照合装置。
　２．指紋照合動作または指紋暗号化登録操作のいずれかを設定するモード切替部をさらに具備することを特徴とする、請求項１記載の暗号化指紋照合装置。」
を、
　「１．予め定められた指紋照合を行う容認者の条件を入力する容認者条件入力部と、
　実際の指から指紋データを抽出する指紋入力部と、
　容認者の階号キィを入力する暗号キィ入力部と、
　該暗号キィ入力部から入力された暗号キィを記憶する暗号キィ記憶手段と、
　前記指紋入力部を介して得られた指紋データを前記暗号キィ記憶手段に記憶された暗号キィに基づいて暗号化する指紋暗号化手段と、
　前記指紋暗号化手段にて暗号化された指紋データを予め格納しておく照合用指紋データ記憶手段と、
　前記指紋入力部から入力され前記指紋暗号化手段にて暗号化された暗号化指紋データと前記照合用指紋データ記憶手段に記憶された照合用指紋データとを比較照合する照合手段と、
　を具備することを特徴とする暗号化指紋照合装置。
　２．指紋照合動作または指紋暗号化登録操作のいずれかを設定するモード切替部をさらに具備することを特徴とする、請求項１記載の暗号化指紋照合装置。」
と訂正する。
　▲２▼　明細書第１３頁１０〜１５行目の
　「ステップ０２４〜０２８（Ｓ０２４〜Ｓ０２８）
　第４図のステップ００５〜００８と同様、指紋選択コード入力〜指紋データ暗号化が行なわれる。この場合、照合モードであるので、暗号化指紋データは照合用指紋データ記憶手段６３２に格納されない。」
を、
　「ステップ０２４〜０２８（Ｓ０２４〜Ｓ０２８）
　第４図のステップ００５〜００８と同様、指紋選択コード入力〜指紋データ暗号化が行なわれる。この場合、照合モードであるので、暗号化指紋データは照合用指紋データ記憶手段６３２に格納されない。暗号化は、暗号化手段６１４において、指紋データ抽出手段６１３において抽出された指紋の特徴パターンデータに対して、暗号化キィ記憶手段６３１に記憶された暗号キィにもとづいて、暗号化を行う。このとき使用される暗号キィとしては、例えば、容認者ごとに異なる暗号キィを使用することができる。」と訂正する。
（５４）【発明の名称】
暗号化指紋照合装置
（５７）【特許請求の範囲】
　１．予め定められた指紋照合を行う容認者の条件を入力する容認者条件入力部と、
　実際の指から指紋データを抽出する指紋入力部と、
　容認者の暗号キィを入力する暗号キィ入力部と、
　該暗号キィ入力部から入力された暗号キィを記憶する暗号キィ記憶手段と、
　前記指紋入力部を介して得られた指紋データを前記暗号キィ記憶手段に記憶された暗号キィに基づいて暗号化する指紋暗号化手段と、
　前記指紋暗号化手段にて暗号化された指紋データを予め格納しておく照合用指紋データ記憶手段と、
　前記指紋入力部から入力され前記指紋暗号化手段にて暗号化された暗号化指紋データと前記照合用指紋データ記憶手段に記憶された照合用指紋データとを比較照合する照合手段と、
　を具備することを特徴とする暗号化指紋照合装置。
　　２．指紋照合動作または指紋暗号化登録操作のいずれかを設定するモード切替部をさらに具備することを特徴とする、請求項１記載の暗号化指紋照合装置。
【発明の詳細な説明】
〔産業上の利用分野〕
　本発明は、指紋照合装置に関するものであり、特に、指紋特有の特徴点などに基づく指紋データを暗号化して指紋利用者の指紋の秘密性を向上させる暗号化指紋照合装置に関する。
　本発明の暗号化指紋照合装置は、例えば、安全管理システムにおける出入管理に特定の容認者の指紋を用いる場合などに用いられる。
〔従来技術〕
　指紋を個人の照合用に使用することにより、特定の個人を同定する指紋照合装置が数多く提案され、一部実用化されてきている。そのような用途としては、例えば、安全管理システムにおける出入管理がある。指紋は、個人差があり個人毎異なるもので、個人を特定するために指紋を用いることは、有効な手段である。この場合、特定の利用者の指紋について、特徴となる部分を抽出し、さらにパターン化して予め登録しておく。その特定の利用者が出入する際、自己の指紋を指紋照合装置にあてる。指紋照合装置では、その利用者が容認されている人かどうか確認したうえで、その指紋を入力し、特徴を抽出してパターン化して、予め登録してある指紋パターンと比較照合し一致している場合、正しい出入者としている。このように、指紋を用いることにより、正確な出入管理が可能となっている。
〔発明が解決しようとする課題〕
　このような指紋照合装置の利用において、登録した指紋パターン、または入力した指紋パターンがなんらかの理由、または不注意により、復号されて他の用途に利用される可能性があり、利用者が不安を抱くことがある。かかる不安感が指紋照合装置の活用を制限しているという問題に遭遇している。また、登録した指紋パターン、または入力した指紋パターンが容易に復号されて第三者に公開されるとか、他の用途に利用される可能性があることが、問題となっている。
　以上に鑑みて、本発明は、容易に復号することが出来ない指紋データを用いて指紋照合を可能にすることを目的とする。
〔課題を達成するための手段〕
　本発明は、上記課題を解決し、上記目的を達成するため、予め定められた指紋照合を行う容認者の条件を入力する容認者条件入力部と、実際の指から指紋データを抽出する指紋入力部と、容認者の暗号キィを入力する暗号キィ入力部と、該暗号キィ入力部から入力された暗号キィを該容認者の指紋データに関連させて記憶する暗号キィ記憶手段と、前記指紋入力部を介して得られた指紋データを前記暗号キィ記憶手段に記憶された暗号キィに基づいて暗号化する指紋暗号化手段と、前記指紋暗号化手段にて暗号化された指紋データを予め格納しておく照合用指紋データ記憶手段と、前記指紋入力部から入力され前記指紋暗号化手段にて暗号化された暗号化指紋データと前記照合用指紋データ記憶手段に記憶された照合用指紋データとを比較照合する照合手段と、を具備することを特徴とする暗号化指紋照合装置を提供する。
　また、指紋照合動作、または指紋暗号化登録操作のいずれかを設定するモード切替部をさらに具備する。
〔作用〕
　照合用指紋データは暗号化されて登録されるので、容易に復号されることがない。これにより、利用者の指紋データの秘密性が飛躍的に向上する。一方、指紋照合の正確さそのものは、従来と同様に維持される。
　暗号キィに対し、更に暗号化を行うと、暗号キィの機密性が向上し、この暗号化された暗号キィを用いて指紋データを暗号化するので、指紋データが第三者によって解読されたり、不注意によって容易に復号されることがなくなる。
〔実施例〕
　本発明の暗号化指紋照合装置の１実施例として、安全管理システムの出入管理に使用される場合について、第１図〜第５図を参照して述べる。
　第１図は、暗号化指紋照合装置の平面外観図である。図面において、１は、操作者が任意の実指を入力する為の指紋入力部であり、２は操作者に予め割り当てられた容認者条件、例えばパスワードを入力するためや、各種データ、例えば、指紋の選択コード、暗号キィの入力部である。ここでは、テンキーを使用するが、各種機能スイッチを利用してもよい。３は、照合結果や各種ガイダンス等を表示する表示部である。ここでは、液晶（ＬＣＤ）を用いるが、ブラウン管や音声のみ、又は、これらを併用してもよい。４は、照合用として本装置を使用する「照合モード」と、照合用指紋データや暗号キィを登録し、指紋データを暗号化する「登録モード」を設定するためのモード切替部である。ここでは、鍵によって各モードを設定するが、カードとカードリーダーや機能釦のスイッチでもよい。
　第２図に暗号化指紋照合装置のシステム構成図を示す。同図において、指紋入力部１は、例えば指を置くためのプリズムからなる指置台と、指紋を照射するためのＬＥＤと、指紋を画像データとして取り出すための光学レンズと、画像データを記憶するＣＣＤイメージセンサ等から成るセンサ部１１と、該センサー部１１に記憶された指紋画像を量子化するＡ／Ｄ変換部１２とから構成されている。６は、ＣＰＵ及び周辺回路６１、指紋照合装置の機能を実現する為のプログラム等を蓄積するＲＯＭ６２、個人毎の指紋データ、暗号キィや各種データを蓄積する為のＲＡＭ６３からなるマイクロプロセッサ型の基本構成を有し、インターフェイス５を介して、前記指紋入力部１、テンキー２、表示部３、モード切替部４の各部と電気的に接続されている。
　第３図に第２図の暗号化指紋照合装置内の主として制御部６の構成を示す。第３図を参照して制御部６の構成について更に詳細に説明する。制御部６は、容認者入力部２１、暗号キィ入力部２２と結合する。本実施例では、前記入力部２１，２２を共通のテンキー２で行っているが、これは個別であってもよく又、機能釦のスイッチや、カードとカードリーダーにて代用してもよい。更に、制御部６は、実指を入力する為の指紋入力部１、モード切替部４及び表示部３と接続されている。制御部６は、容認者の条件、例えば、パスワードが容認者入力部２１で入力されると該パスワードが予め登録されたものかどうかを判別する容認者判定手段６１１とモード切替部４の操作に応答して「照合モード」か「登録モード」かを設定するモード設定手段６１２と、指紋入力部１に接続され該指紋入力部１からの指紋の特徴パターンを抽出する指紋データ抽出手段６１３と、暗号キィ入力部２２に接続され、前記モード設定手段６１２において「登録モード」が設定されている場合入力された暗号キィと登録する暗号キィ記憶手段６３１と、指紋データ抽出手段６１３と暗号キィ記憶手段６３１に接続され指紋特徴パターンを暗号化する暗号化手段６１４とを有する。制御部６は、さらに、モード設定手段６１２において「登録モード」が設定されている場合、暗号化手段６１４において暗号化された指紋データを照合用として保存する照合用指紋データ記憶手段６３２、より具体的には、ＲＡＭ６３（第２図）と、暗号化手段６１４と照合用指紋データ記憶手段６３２とに接続され、入力された暗号化指紋データと記憶された照合用暗号化指紋データとを比較照合する照合手段６１５とを有する。比較照合結果が表示部３に出力される。
　第４図を参照して指紋を登録する動作について述べる。
　
ステップ００１（Ｓ００１）
　操作者は、モード切替部４を所定の鍵を用いて「登録モード」に設定する。前記操作に基づいてモード設定手段６１２にて登録モードに設定される。表示部３では、図示しない駆動手段によって「登録」か「削除」かのメニューが表示される。
　
ステップ００２〜００５（Ｓ００２〜Ｓ００５）
　操作者は、表示部３に基づいて、登録コードをテンキー２を介して制御部６へ入力する（Ｓ００２）。次に個人毎に割り当てられた容認者条件、例えば、パスワードをテンキー２にて制御部６へ入力する（Ｓ００３）。制御部６では容認者判定手段６１１にて該パスワードが予め登録されたものか否かを判断する。次に、操作者は、テンキー２を介して「暗号キィ」を入力する。暗号キィは、例えば、３桁の数字であり、この暗号キィが「登録モード」において、暗号キィ記憶手段６３１に記憶される。次いで、操作者の意志に基づき照合用の指に相当する指紋選択コードを前述と同様にテンキー２を介して制御部６へ入力する（Ｓ００５）。
　以上のテンキー２を介しての各データの入力は、テンキー２内の「＃」を押した後、所定のコードデータ（数字）を入力し、最後に「＊」を押すことにより行なわれる。
　
ステップ００６〜００７（Ｓ００６，Ｓ００７）
　指紋入力部１へ前記選択した実指を置く。センサー部１１では指紋を読み取る（Ｓ００６）。読み取られた指紋画像はＡ／Ｄ変換部１２で量子化され、指紋データ抽出手段６１３に印加され、指紋データ抽出手段６１３において指紋の特徴パターン、例えば、隆線パターンがデータとして抽出される（Ｓ００７）。
　
ステップ００８（Ｓ００８）
　暗号化手段６１４において、指紋データ抽出手段６１３において抽出された指紋の特徴パターンデータに対して、暗号化キィ記憶手段６３１に記憶された暗号キィにもとづいて、暗号化を行う。この暗号化としては、例えば、上記３桁数字の暗号キィを２進数にビット展開し、直接、指紋特徴パターンデータに加算する、排他的ＯＲをとる等の、直接暗号化の他、上述の３桁数字の暗号キィをパスワードと組合せて、例えば、排他的ＯＲをとって内部的暗号キィを発生させて、２進数にビット展開し、指紋特徴パターンデータと排他的ＯＲをとる等の間接暗号化をとることができる。特に、間接暗号化をとった場合、暗号キィとパスワードとを同時に用いなければ暗号化指紋データは復号されない。
　
ステップ００９（Ｓ００９）
　上述の如く、暗号化された指紋データが、ＲＡＭ６３の所定の領域、すなわち、照合用指紋データ記憶手段６３２に格納される。
　以上の登録処理が終了すると、その旨、表示部３に出力が行なわれ、次の照合動作に移行可能となる。
　第５図を参照し，て照合動作について述べる。
　
ステップ０２１（Ｓ０２１）
　操作者は、モード切替部４を「照合モード」に設定する。モード設定手段６１２が「登録モード」から「照合モード」にモード設定変更をし、暗号キィ記憶手段６３１、照合手段６１５、暗号化手段６１４にモード変更を通知する。
　
ステップ０２２，０２３（Ｓ０２２，Ｓ０２３）
　操作者は、容認者条件として、パスワードをテンキー２を介して入力する。テンキー２は容認者入力部２１として機能し、このパスワードが容認者判定手段６１１において予め登録されたものか判定される。予め登録されたパスワードと一致している場合、次のステップに移行する。
　
ステップ０２４〜０２８（Ｓ０２４〜Ｓ０２８）
　第４図のステップ００５〜００８と同様、指紋選択コード入力〜指紋データ暗号化が行なわれる。この場合、照合モードであるので、暗号化指紋データは照合用指紋データ記憶手段６３２に格納されない。暗号化は、暗号化手段６１４において、指紋データ抽出手段６１３において抽出された指紋の特徴パターンデータに対して、暗号化キィ記憶手段６３１に記憶された暗号キィにもとづいて、暗号化を行う。このとき使用される暗号キィとしては、例えば、容認者ごとに異なる暗号キィを使用することができる。
　
ステップ０２９，０３０（Ｓ０２９，Ｓ０３０）
　照合手段６１５が、ステップ０２８において暗号化された指紋データが照合用指紋データ記憶手段６３２に登録された暗号化指紋データに一致するか否か照合する。
　照合した結果、一致していれば、一致した旨のメッセージを表示部３に出力する。不一致の場合、不一致メッセージが表示される。尚、表示部３と共に、又は表示部３に代えてプリンタを設け、プリント記録を残すようにしてもよい。
　照合用の指紋データ、パスワード等は、テンキー入力に代えて、ＩＣカードを用いることも可能である。
〔発明の効果〕
　以上述べたように、本発明によれば、指紋およびパスワードを用いることにより指紋照合装置としての機能は従来と同様である上、暗号キィを用いることにより、照合用指紋データ記憶手段内の格納データは暗号化されており、照合においても暗号化指紋データ相互について照合が行なわれるので、第三者が指紋データを理解し、又は第三者が指紋データを復号することは勿論、不注意などによって、指紋データそのものが公開されることはない。
【図面の簡単な説明】
　第１図は本発明の実施例の暗号化指紋照合装置の平面外観図、
　第２図は、第１図の暗号化指紋照合装置のシステム構成図、
　第３図は、第２図の暗号化指紋照合装置内の制御部の構成図、
　第４図および第５図は、本発明の実施例の暗号化指紋照合装置の、登録動作、照合動作をそれぞれ説明するフロー図、である。
（符号の説明）
　１…指紋入力部、　　　　　　　　　２…データ入力部、
　３…表示部、　　　　　　　　　　　４…モード切替部、
　５…インターフェイス、　　　　　　６…制御部。